(57)【特許請求の範囲】
【請求項１】
エレベータのかごに設けられ、前記かご内の利用者を撮影する撮影装置と、
前記かごに設けられた音声出力装置と、
前記かごの速度を検出し、検出した速度に応じて前記かごの速度を制御する制御装置と、
前記かごの速度が予め設定された最高速になる一定時間前に最高速運転予告信号が前記制御装置から入力された場合に、前記かごが前記一定時間後に前記最高速になることを報知する音声データを出力させる音声処理手段と、
前記かごの速度が前記最高速になった際に最高速運転信号が前記制御装置から入力された場合に、前記撮影装置に撮影された前記かご内の利用者の映像に、前記かごの速度が前記最高速になったことを示す最高速運転情報を付加して最高速記念映像を生成し、前記最高速記念映像の情報を出力する映像処理手段と、
を備えたことを特徴とするエレベータの撮影システム。
【請求項２】
前記音声出力装置は、前記かごの速度が前記最高速になったときに、前記かごの速度が前記最高速になったことを報知することを特徴とする請求項１記載のエレベータの撮影システム。
【請求項３】
エレベータのかごに設けられ、前記かご内の利用者を撮影する撮影装置と、
前記かごに設けられた表示装置と、
前記かごの速度を検出し、検出した速度に応じて前記かごの速度を制御する制御装置と、
前記撮影装置に撮影された前記かご内の利用者の映像を前記表示装置に表示させ、前記かごが最高速になるまでの時間に関する最高速運転予告信号が前記制御装置から入力された場合に、前記かごが前記最高速になるまでの時間を前記表示装置に表示させる表示処理手段と、
前記かごの速度が前記最高速になった際に最高速運転信号が前記制御装置から入力された場合に、前記撮影装置に撮影された前記かご内の利用者の映像に、前記かごの速度が前記最高速になったことを示す最高速運転情報を付加して最高速記念映像を生成し、前記最高速記念映像の情報を出力する映像処理手段と、
を備えたことを特徴とするエレベータの撮影システム。
【請求項４】
前記表示装置は、前記映像処理手段が生成した前記最高速記念映像を表示する請求項３記載のエレベータの撮影システム。
【発明の詳細な説明】
【技術分野】
【０００１】
この発明は、エレベータのかご内を撮影する撮影システムに関するものである。
【背景技術】
【０００２】
近年、ランドマークとなるような建物には、超高速エレベータが設置される。これらの超高速エレベータの中には、世界最高速のものもある。かかる超高速エレベータの利用者の中には、超高速エレベータに乗車したという記念映像を欲する者もいる。
【０００３】
ここで、インターフォンが押圧操作されたときに、操作前の所定期間のかご内の映像を表示するエレベータが提案されている（例えば、特許文献１参照）。
【先行技術文献】
【特許文献】
【０００４】
【特許文献１】特開２００９−９１０４８号公報
【発明の概要】
【発明が解決しようとする課題】
【０００５】
しかし、特許文献１記載のものは、操作が行われる前の所定期間に蓄積した映像を表示することで、いたずらによるインターフォン操作を防止するためのもので、最高速に達したエレベータのかご内の記念映像を撮影するものではない。このため、適切な記念映像を撮影することができないという問題があった。
【０００６】
この発明は、上述のような課題を解決するためになされたもので、その目的は、最高速に達したエレベータのかごに利用者が乗車していることを示す記念映像を入手することができるエレベータの撮影システムを提供することである。
【課題を解決するための手段】
【０００７】
この発明に係るエレベータの撮影システムは、エレベータのかごに設けられ、前記かご内の利用者を撮影する撮影装置と、前記かごに設けられた音声出力装置と、前記かごの速度を検出し、検出した速度に応じて前記かごの速度を制御する制御装置と、前記かごの速度が予め設定された最高速になる一定時間前に最高速運転予告信号が前記制御装置から入力された場合に、前記かごが前記一定時間後に前記最高速になることを報知する音声データを出力させる音声処理手段と、前記かごの速度が前記最高速になった際に最高速運転信号が前記制御装置から入力された場合に、前記撮影装置に撮影された前記かご内の利用者の映像に、前記かごの速度が前記最高速になったことを示す最高速運転情報を付加して最高速記念映像を生成し、前記最高速記念映像の情報を出力する映像処理手段と、を備えたものである。
この発明に係るエレベータの撮影システムは、エレベータのかごに設けられ、前記かご内の利用者を撮影する撮影装置と、前記かごに設けられた表示装置と、前記かごの速度を検出し、検出した速度に応じて前記かごの速度を制御する制御装置と、前記撮影装置に撮影された前記かご内の利用者の映像を前記表示装置に表示させ、前記かごが最高速になるまでの時間に関する最高速運転予告信号が前記制御装置から入力された場合に、前記かごが前記最高速になるまでの時間を前記表示装置に表示させる表示処理手段と、前記かごの速度が前記最高速になった際に最高速運転信号が前記制御装置から入力された場合に、前記撮影装置に撮影された前記かご内の利用者の映像に、前記かごの速度が前記最高速になったことを示す最高速運転情報を付加して最高速記念映像を生成し、前記最高速記念映像の情報を出力する映像処理手段と、を備えたものである。
【発明の効果】
【０００８】
この発明によれば、最高速に達したエレベータのかごに利用者が乗車していることを示す記念映像を入手することができる。
【図面の簡単な説明】
【０００９】
【図１】この発明の実施の形態１におけるエレベータの撮影システムの全体構成図である。
【図２】この発明の実施の形態１におけるエレベータの撮影システムから出力される最高速記念映像を説明するための図である。
【図３】この発明の実施の形態１におけるエレベータの撮影システムの動作を説明するためのフローチャートである。
【図４】この発明の実施の形態２におけるエレベータの撮影システムの動作を説明するためのフローチャートである。
【図５】この発明の実施の形態３におけるエレベータの撮影システムの表示装置に表示された映像を説明するための第１例を示す図である。
【図６】この発明の実施の形態３におけるエレベータの撮影システムの表示装置に表示された映像を説明するための第２例を示す図である。
【図７】この発明の実施の形態３におけるエレベータの撮影システムの動作を説明するためのフローチャートである。
【発明を実施するための形態】
【００１０】
この発明を実施するための形態について添付の図面に従って説明する。なお、各図中、同一又は相当する部分には同一の符号を付しており、その重複説明は適宜に簡略化ないし省略する。
【００１１】
実施の形態１．
図１はこの発明の実施の形態１におけるエレベータの撮影システムの全体構成図である。
図１において、１はエレベータのかごである。このエレベータのかご１は、ランドマークとなるような超高層の建築物に形成された昇降路内を、世界最高速で昇降するものである。
【００１２】
２はエレベータの制御装置である。この制御装置２は、昇降路上方の機械室や昇降路側壁に設けられる。この制御装置２は、エレベータ全体の制御を行う機能を備える。例えば、制御装置２は、かご１の速度を検出する速度検出手段として機能する。ここで、かご１の速度は、「メートル／分」等の単位のデータとして定義される。
【００１３】
制御装置２は、かかるかご１の速度を検出し、適切なかご１の速度となるように、巻上機の駆動制御を行ったりする。また、制御装置２は、外部通信路３を介して、外部と信号のやり取りを行う機能を備える。
【００１４】
４は映像入力装置である。この映像入力装置４は、かご１に設けられる。この映像入力装置４は、かご１内の映像が入力される機能を備える。具体的には、映像入力装置４は、かご１内の利用者を撮像する撮影装置として機能する。この映像入力装置４は、新たに設置されることなく、かご１内を監視するために常時設置された監視カメラと共用される場合もある。
【００１５】
５は音声出力装置である。この音声出力装置５は、かご１に設けられる。この音声出力装置５は、スピーカ等からなり、音声を出力する機能を備える。６は表示装置である。この表示装置６は、表示画面をかご１内に向けるように、かご１に設けられる。この表示装置６は、液晶ディスプレイ、プラズマディスプレイ、ＬＥＤ、ブラウン等からなり、文字や図形を表示する機能を備える。
【００１６】
７は撮影システム制御装置である。この撮影システム制御装置７は、映像処理手段８、音声処理手段９、表示処理手段１０を備える。映像処理手段８、音声処理手段９、表示処理手段１０は、通信路１１を介して、制御装置２に接続される。
【００１７】
映像処理手段８は、映像入力装置４から入力された映像を加工処理する機能を備える。具体的には、映像処理手段８は、通信路１１を介して、かご１が予め設定された最高速になった場合に制御装置２が出力する最高速運転信号が入力される機能を備える。
【００１８】
そして、映像処理手段８は、最高速運転信号が入力された場合に、映像入力装置４が撮影した映像に、かご１が最高速に達したことを示す最高速運転情報を付加して最高速記念映像を生成する機能を備える。また、映像処理手段８は、最高速記念映像を制御装置２に出力する機能を備える。
【００１９】
音声処理手段９は、通信路１１を介して、制御装置２から最高速運転信号が入力される機能を備える。また、音声処理手段９は、最高速運転信号が入力されると、かご１の速度が最高速になったことを報知するための音声データを合成する機能を備える。そして、音声処理手段９は、音声出力装置５に、合成した音声データを音声出力装置５に出力させる機能を備える。
【００２０】
表示処理手段１０は、通信路１１を介して、映像処理手段８から最高速記念映像の情報を入力し、加工処理する機能を備える。そして、表示処理手段１０は、表示装置６に、最高速記念映像を表示させる機能を備える。
【００２１】
上記機能を備えた映像処理手段８、音声処理手段９、表示処理手段１０は、処理を行うマイコンと、そのプログラム格納用及び作業用のメモリを備える。これらのマイコンは、プログラム格納用メモリに格納されたプログラムに基づいて、作業用メモリを使用しながら動作する。
【００２２】
なお、これらのメモリは、不揮発性メモリや、随時書き込み保持動作の必要なメモリ等からなる。これらのメモリは、マイコンに内蔵される場合もある。また、これらのメモリのいくつかが、同じ記憶装置や素子からなる場合もある。さらに、映像処理手段８、音声処理手段９、表示処理手段１０が、ひとつ又はふたつの装置で兼用される場合もある。
【００２３】
次に、図２を用いて、映像処理手段８が出力する最高速記念映像を詳細に説明する。
図２はこの発明の実施の形態１におけるエレベータの撮影システムから出力される最高速記念映像を説明するための図である。
【００２４】
図２おいて、１２は映像処理手段８が出力する最高速記念映像である。この最高速記念映像１２は、映像入力装置４に撮影された映像全体からなり、表示画面全体に表示される。この最高速記念映像１２の中には、かご１内の利用者映像１３が含まれる。図２おいては、３人の利用者映像１３が表示されている。
【００２５】
また、最高速記念映像１２に重なるように、日時情報１４、速度情報１５、建築名情報１６が表示される。日時情報１４は、表示画面の上方に表示される。この日時情報１４は、最高速記念映像１２の撮影日時を示すものである。図２においては、「２０１０年１０月１０日１０時１０分」と表示されている。これにより、最高速記念映像１２は、２０１０年１０月１０日１０時１０分に撮影されたものと認識される。
【００２６】
速度情報１５は、表示画面の左下側に表示される。この速度情報１５は、最高速記念映像１２の撮影時におけるかご１の速度を表示するものである。図２においては、「分速７５０ｍ」と表示されている。これにより、最高速記念映像１２は、かご１が分速７５０ｍで走行しているときに撮影されたものと認識される。
【００２７】
建築名情報１６は、表示画面の右下側に表示される。この建築名情報１６は、当該エレベータが設置された建築物の名称を示すものである。図２においては、「○○タワー」と表示されている。これにより、最高速記念映像１２は、○○タワーに設置されたエレベータのかご１内のものであると認識される。
【００２８】
次に、図３を用いて、エレベータの撮影システムの動作を説明する。
図３はこの発明の実施の形態１におけるエレベータの撮影システムの動作を説明するためのフローチャートである。
【００２９】
まず、ステップＳ１で、映像処理手段８に最高速運転信号が入力されたか否かが判別される。最高速運転信号が入力されていない場合は、ステップＳ１が繰り返される。一方、最高速運転信号が入力された場合は、ステップＳ２に進む。ステップＳ２では、映像入力装置４で、最高速記念映像１２が撮影され、ステップＳ３に進む。
【００３０】
ステップＳ３では、映像処理手段８で、最高速記念映像１２の処理がなされ、ステップＳ４に進む。ステップＳ４では、映像処理手段８が、最高速記念映像１２の情報を制御装置２に出力する。そして、制御装置２が、外部通信路３を介して、最高速記念映像１２の情報を外部配信する。これにより、一連の動作が終了する。
【００３１】
この外部配信された最高速記念映像１２の情報は、エレベータが設置された建築内のシステムや、インターネット等の通信網を介して、利用者が居住する建築物に配信される。そして、配信先で、最高速記念映像１２の表示や印刷がなされる。また、この際、利用者に課金される場合もある。
【００３２】
以上で説明した実施の形態１によれば、映像処理手段８は、かご１の速度が予め設定された最高速になった場合に、映像入力装置４に撮影されたかご１内の利用者の映像に、最高速運転情報を付加して最高速記念映像１２を生成し、最高速記念映像１２の情報を出力する。このため、最高速に達したエレベータのかご１に利用者が乗車していることを示す記念映像を入手することができる。また、適切なタイミングで、最高速記念映像１２の情報を出力するため、必要以上にかご１内の映像を録画する必要がない。
【００３３】
また、音声出力装置５が、かご１の速度が最高速になったときに、かご１の速度が最高速になったことを報知する音声データを出力する。このため、かご１内の利用者に、かご１が最高速に到達するタイミングを的確に知らせることができる。
【００３４】
さらに、表示装置６が、かご１内に向けて、映像処理手段８が生成した最高速記念映像１２を表示する。このため、かご１内の利用者が、その場で、最高速記念映像１２を確認することができる。
【００３５】
なお、実施の形態１においては、通信路１１は、制御装置２を介して、外部通信路３と接続されていた。しかし、通信路１１と外部通信路３とは、物理的に直接接続されていてもよい。
【００３６】
実施の形態２．
図４はこの発明の実施の形態２におけるエレベータの撮影システムの動作を説明するためのフローチャートである。なお、実施の形態１と同一又は相当部分には同一符号を付して説明を省略する。
【００３７】
実施の形態１では、最高速記念映像１２が、予告なく撮影されていた。一方、実施の形態２では、最高速記念映像１２の撮影が予告される構成となっている。具体的には、制御装置２は、かご１が最高速に達する一定時間前（例えば、１０秒前）から、最高速運転予告信号を逐次出力する機能を備える。そして、音声処理手段９は、通信路１１を介して、最高速運転予告信号が入力されると、一定時間後にかご１が最高速になることを報知する音声データを生成する機能を備える。
【００３８】
次に、図４を用いて、実施の形態２におけるエレベータの撮影システムの動作を説明する。
まず、ステップＳ１１で、音声処理手段９に最高速運転予告信号が入力されたか否かが判別される。最高速運転予告信号が入力された場合は、ステップＳ１２に進む。ステップＳ１２では、音声出力装置５で、かご１の最高速到達の予告アナウンスがなされ、ステップＳ１１に戻る。
【００３９】
これに対し、ステップＳ１１で、最高速運転予告信号が入力されていない場合は、ステップＳ１３に進む。ステップＳ１３では、映像処理手段８、音声処理手段９に、最高速運転信号が入力されたか否かが判別される。最高速運転信号が入力されていない場合は、ステップＳ１１に戻る。一方、最高速運転信号が入力された場合は、ステップＳ１４に進む。
【００４０】
ステップＳ１４では、音声出力装置５で、かご１の最高速到達のアナウンスがなされるとともに、映像入力装置４で、最高速記念映像１２が撮影され、ステップＳ１５に進む。ステップＳ１５では、映像処理手段８で、最高速記念映像１２の処理がなされ、ステップＳ１６に進む。
【００４１】
ステップＳ１６では、最高速記念映像１２の情報が制御装置２に出力される。そして、制御装置２が、外部通信路３を介して、最高速記念映像１２を外部配信する。これにより、一連の動作が終了する。以降、必要に応じて、再度、動作が開始される。
【００４２】
以上で説明した実施の形態２によれば、音声出力装置５は、かご１が最高速になる一定時間前に、一定時間後に最高速になることを報知する。このため、かご１内の利用者は、かご１が最高速に到達するタイミングを前もって知ることができる。これにより、利用者は、最高速記念映像１２の撮影の準備を前もって行うことができる。
【００４３】
実施の形態３．
実施の形態２では、音声出力装置５で、かご１が最高速に到達することを前もって報知する構成となっていた。一方、実施の形態３においては、表示装置６も、かご１が最高速に到達することを前もって表示する構成となっている。以下、図５〜図７を用いて、実施の形態３におけるエレベータの撮影システムの動作を説明する。なお、実施の形態１又は２と同一又は相当部分には同一符号を付して説明を省略する。
【００４４】
図５はこの発明の実施の形態３におけるエレベータの撮影システムの表示装置に表示された映像を説明するための第１例を示す図である。図６はこの発明の実施の形態３におけるエレベータの撮影システムの表示装置に表示された映像を説明するための第２例を示す図である。
【００４５】
本実施の形態のエレベータの最高速は、分速７５０ｍである。図５には、加速中のエレベータの表示装置６に表示された表示画面１７が示される。この表示画面１７には、実施の形態１と同様に、利用者映像１８、日時情報１９、速度情報２０、建築名情報２１が表示される。ここで、速度情報２０は、加速中のエレベータの速度に対応して、「分速６００ｍ」と表示される。
【００４６】
さらに、本実施の形態においては、表示画面１７に、移動方向情報２２、階床情報２３、最高速運転予告情報２４が表示される。移動方向情報２２は、表示画面１７の右上側に表示される。この移動方向情報２２は、かご１の移動方向を示すものである。図５においては、移動方向情報２２は、黒く塗り潰した三角形で表示されている。これにより、かご１の移動方向は、上昇方向であると認識される。
【００４７】
階床情報２３は、移動方向情報２２の右側に近接して表示される。この階床情報２３は、現時点でのかご１の位置を示すものである。図５においては、階床情報２３は、「２８」と表示されている。これにより、現時点でのかご１の位置は、２８階近傍であると認識される。
【００４８】
最高速運転予告情報２４は、表示画面１７の中央で、速度情報２０、建築名情報２１の上側に近接して表示される。この最高速運転予告情報２４は、かご１が最高速に到達することの予告を、秒数カウントダウンで表示するものである。図５においては、最高速運転予告情報２４は、「最高速度まであと１０秒」と表示されている。これにより、かご１があと１０秒で最高速に達することが認識される。
【００４９】
そして、かご１が５０階近傍で最高速に到達すると、表示画面１７は、図６のような表示となる。即ち、速度情報２０は、エレベータの最高速に対応して、「分速７５０ｍ」と表示される。また、階床情報２３は、現地点のかご１の位置である５０階に対応して、「５０」と表示される。そして、最高速運転予告情報２４は、現時点が最高速であることを知らせるように「最高速度」と表示される。
【００５０】
次に、図７を用いて、実施の形態３におけるエレベータの撮影システムの動作を説明する。
図７はこの発明の実施の形態３におけるエレベータの撮影システムの動作を説明するためのフローチャートである。
【００５１】
実施の形態３における映像システムの基本動作は、実施の形態２の映像システムの動作と同様である。即ち、まず、ステップＳ２１で、音声処理手段９に最高速運転予告信号が入力されたか否かが判別される。最高速運転予告信号が入力された場合は、ステップＳ２２に進む。ステップＳ２２では、音声出力装置５で、かご１の最高速到達の予告アナウンスがなされ、ステップＳ２１に戻る。
【００５２】
これに対し、ステップＳ２１で、最高速運転予告信号が入力されていない場合は、ステップＳ２３に進む。ステップＳ２３では、映像処理手段８、音声処理手段９に、最高速運転信号が入力されたか否かが判別される。最高速運転信号が入力されていない場合は、ステップＳ２１に戻る。一方、最高速運転信号が入力された場合は、ステップＳ２４に進む。
【００５３】
ステップＳ２４では、音声出力装置５で、かご１の最高速到達のアナウンスがなされるとともに、映像入力装置４で、最高速記念映像１２が撮影され、ステップＳ２５に進む。ステップＳ２５では、映像処理手段８で、最高速記念映像１２の処理がなされ、ステップＳ２６に進む。
【００５４】
ステップＳ２６では、最高速記念映像１２の情報が制御装置２に出力される。そして、制御装置２が、外部通信路３を介して、最高速記念映像１２を外部配信する。これにより、一連の動作が終了する。以降、必要に応じて、再度、動作が開始される。
【００５５】
さらに、実施の形態３では、動作が開始してから、ステップＳ２３の最高速運転信号の入力判別までに、次の動作が行われる。即ち、ステップＳ２７では、映像入力装置４で、かご１が最高速に到達する前のかご１内の映像が撮影され、ステップＳ２８に進む。ステップＳ２８では、映像処理手段８で、かかる映像の処理がなされ、ステップＳ２９に進む。
【００５６】
ステップＳ２９では、映像処理手段８が、かご１内の映像の処理後情報を制御装置２に出力する。そして、制御装置２が、外部通信路３を介して、最高速記念映像１２の情報を外部配信する。また、これと同時に、映像処理手段８が、かご１内の映像の処理後情報を表示処理手段１０に出力する。これにより、表示装置１１が、かご１内の映像と現時点でのかご１の速度を示す速度情報２０を表示する。
【００５７】
加えて、実施の形態３では、かご１が最高速に達した後、ステップＳ２６で、映像処理手段８が、最高速記念映像１２の処理後情報を表示処理手段１０に出力する。これにより、表示装置１１が、最高速記念映像１２と最高速を示す速度情報２０を表示する。
【００５８】
以上で説明した実施の形態３によれば、表示装置６は、かご１が最高速に到達するまでの時間を表示する。このため、かご１内の利用者は、かご１が最高速に到達するタイミングを前もって知ることができる。
【００５９】
なお、実施の形態１〜３においては、最高速記念映像１２に重なるように、日時情報１４、速度情報１５、建築名情報１６等の各種情報が表示される。しかし、最高速記念映像１２を表示画面の一部に表示させ、この一部以外の部分に、日時情報１４、速度情報１５、建築名情報１６等の各種情報を表示させるようにしてもよい。
【符号の説明】
【００６０】
１  かご、  ２  制御装置、  ３  外部通信路、  ４  映像入力装置、
５  音声出力装置、  ６  表示装置、  ７  撮影システム制御装置、  
８  映像処理手段、  ９  音声処理手段、  １０  表示処理手段、  １１  通信路、
１２  最高速記念映像、  １３  利用者映像、  １４  日時情報、  １５  速度情報、
１６  建築名情報、  １７  表示画面、  １８  利用者映像、  １９  日時情報、
２０  速度情報、  ２１  建築名情報、  ２２  移動方向情報、  ２３  階床情報、
２４  最高速運転予告情報
【図１】
0005493522.tif 000002
【図２】
0005493522.tif 000003
【図３】
0005493522.tif 000004
【図４】
0005493522.tif 000005
【図５】
0005493522.tif 000006
【図６】
0005493522.tif 000007
【図７】
0005493522.tif 000008